(57)【要約】【課題】キー数や操作手順を増やすことなく、簡単な１回の操作で一覧表示画面から所望のサムネイル画像等の対象を含んで任意に複数対象を選択できるカーソルを備えた記録再生装置およびそのためのプログラムを提供すること。【解決手段】記録再生装置において、対象選択画面上の対象と関連付けられた画像枠複数個からなる画像領域を、変倍カーソルの指定範囲として設定する。前記指定範囲は、前記対象選択画面を均等に任意の整数で分割した画像領域とする。【選択図】図２
2008123320.tif 000002
【特許請求の範囲】
【請求項１】
対象選択画面上の対象と関連付けられた画像枠複数個からなる画像領域を、変倍カーソルの指定範囲として設定することを特徴とする記録再生装置。
【請求項２】
前記指定範囲は、前記対象選択画面を均等に任意の整数で分割した画像領域とすることを特徴とする請求項１記載の記録再生装置。
【請求項３】
前記任意の整数は、縦軸と横軸の画像枠の数を異ならせることを特徴とする請求項２記載の記録再生装置。
【請求項４】
前記指定範囲を、前記対象選択画面上の行又は列を構成する複数の画像枠領域とすることを特徴とする請求項１乃至３のいずれか１項記載の記録再生装置。
【請求項５】
前記指定範囲に対してリモートコントローラの指定キーを対応付けた補助画像を設定することを特徴とする請求項１乃至４のいずれか１項記載の記録再生装置。
【請求項６】
前記指定範囲は、リモートコントローラのカーソルサイズ変換キーの倍率に応じた画像枠からなる画像領域としたことを特徴とする請求項１乃至５のいずれか１項記載の記録再生装置。
【請求項７】
前記指定範囲を指定したとき、前記指定範囲に含まれる前記対象を同時に指定し有効にすることを特徴とする請求項１乃至６のいずれか１項記載の記録再生装置。
【請求項８】
前記指定範囲を、指定の度に狭くし、指定されて残った画像枠の数がリモートコントローラの指定キーの数より少なくなるまで前記指定を行うことを特徴とする請求項１乃至７のいずれか１項記載の記録再生装置。
【請求項９】
前記指定範囲の指定の終了にともない、指定キーにより直接画像枠を指定することを特徴とする請求項１乃至８のいずれか１項記載の記録再生装置。
【請求項１０】
前記指定範囲は、リモートコントローラのカーソルサイズ変換キーの倍率に応じた画像枠からなる画像領域として記憶されていることを特徴とする請求項１乃至７のいずれか１項記載の記録再生装置。
【請求項１１】
前記変倍カーソルの指定範囲を、前記対象選択画面上に表示することを特徴とする請求項１乃至８のいずれか１項記載の記録再生装置。
【請求項１２】
コンピュータに、対象選択画面上の対象と関連付けられた画像枠複数個からなる画像領域を、変倍カーソルの指定範囲として設定する機能を実現させるためのプログラム。
【請求項１３】
前記指定範囲は、前記対象選択画面を均等に任意の整数で分割した画像領域とした請求項１２記載のプログラム。
【請求項１４】
前記任意の整数は、縦軸と横軸の画像枠の数を異ならせたものとした請求項１３記載のプログラム。
【請求項１５】
前記指定範囲を、前記対象選択画面上の行又は列を構成する複数の画像枠領域とした請求項１２乃至１４のいずれか１項記載のプログラム。
【請求項１６】
前記指定範囲に対してリモートコントローラの指定キーを対応付けた補助画像を設定する機能を実現させるための請求項１２乃至１５のいずれか１項記載のプログラム。
【請求項１７】
前記指定範囲は、リモートコントローラのカーソルサイズ変換キーの倍率に応じた画像枠からなる画像領域とした請求項１２乃至１６のいずれか１項記載のプログラム。
【請求項１８】
前記指定範囲を指定したとき、前記指定範囲に含まれる前記対象を同時に指定し有効にする機能を実現するための請求項１２乃至１７のいずれか１項記載のプログラム。
【請求項１９】
前記指定範囲を、指定の度に狭くし、指定されて残った画像枠の数がリモートコントローラの指定キーの数より少なくなるまで前記指定を行う機能を実現させるための請求項１２乃至１８のいずれか１項記載のプログラム。
【請求項２０】
前記指定範囲の指定の終了にともない、指定キーにより直接画像枠を指定する機能を実現するための請求項１２乃至１９のいずれか１項記載のプログラム。
【請求項２１】
前記指定範囲を、指定の度に狭くし、指定されて残った画像枠の数がリモートコントローラの指定キーの数より少なくなるまで前記指定を行い、前記指定範囲の指定の終了にともない、指定キーにより直接画像枠を指定する機能を実現させるための請求項１２記載のプログラム。
【発明の詳細な説明】
【技術分野】
【０００１】
この発明は、指定範囲の大きさを任意に変更できるカーソルを備えた記録再生装置およびそのためのプログラムに関し、例えば、画面上に多数のサムネイル画像を表示した全体の画像から、指定範囲を任意の大きさの形状としたカーソルによって複数の画像領域を１度に指定することができるようにした記録再生装置およびそのためのプログラムに関する。
【背景技術】
【０００２】
従来のデジタル映像記録再生装置、例えばＤＶＤカメラは、動画や静止画等のデジタル画像を圧縮した圧縮データと、その圧縮データの記録開始時の映像をサムネイル画像データとして圧縮データと対応付けして記録し、再生操作時、記録したサムネイル画像データの一覧を表示し、この一覧表示から目的のサムネイル画像を選択することにより、対応付けられた動画や静止画等のデジタル画像データを検索し、該当した動画や静止画について再生や削除等の編集を行う（特許文献１参照）。
【０００３】
上記特許文献１に開示された技術は、多数のサムネイル画像が表示されたリストから、リモコンの数字ボタンのダイレクト選択により、希望するサムネイル画像を選択している。
他に、サムネイル画像一覧表示画面から所望のサムネイル画像を選択する方法として、マウスや移動キーにより所望のサムネイル画像にカーソルを合わせ、マウスのクリックや決定キーの押し下げ操作により、再生する。さらに、専用のリモートコントローラを用い、カーソル移動ボタンを操作し、所望のサムネイル画像にカーソルを移動して選択し、決定キーを押下げ操作するものもある。
【０００４】
また、携帯電話機のカメラで撮影した複数の画像を、例えば、メモリースティック等に記録し、これをメモリアダプタおよびカードアダプタを介してパーソナルコンピュータで読み出し表示する場合、マウスを使って画像が選択できる。このとき、マウスでカーソルを所望の画像上へ移動し、クリックして指定する。
【特許文献１】特開２００５−１２６７５号公報
【発明の開示】
【発明が解決しようとする課題】
【０００５】
上記従来の場合、所望のサムネイル画像の選択に、カーソルの移動と決定キーの押し下げ操作の操作手順や、決定キー等の追加機能のキーが必要となり、操作手順が多く面倒になる。また、リモートコントローラを使用するときは、キーボードやマウスと比べその操作性の悪さから、例えば、カーソルを過剰に移動させてしまう等の操作上の問題がある。
【０００６】
特に、特許文献１の場合、リストに表示するサムネイル画像の数と数字ボタンの数を同じにしなければならず、画像の数が多いと数字ボタンの数も多くなり、これに応じてリモートコントローラの形状が大きくなってしまい実用的でない。
【０００７】
また、簡単なキー操作により、複数の連続したサムネイル画像を任意に選択して順次再生することはできていない。これに関し、複数の画像を連続再生できるスライドショーという処理操作はあるが、画像番号の順にしか再生できず、任意の画像だけ又は所定の数だけ再生するというような使い勝手のよい態様にはなっていない。
【０００８】
本発明の目的は、上記問題点に鑑み、キー数や操作手順を増やすことなく、簡単な１回の操作で一覧表示画面から所望のサムネイル画像等の対象を含んで任意に複数対象を選択できるカーソルを備えた記録再生装置およびそのためのプログラムを提供することにある。
【課題を解決するための手段】
【０００９】
上記課題を解決するために、本発明の第１の技術手段は、対象選択画面上のサムネイル画像等の対象と関連付けられた画像枠複数個からなる画像領域を、指定領域を拡大した変倍カーソルの指定範囲として設定することを特徴としたものである。
【００１０】
第２の技術手段は、第１の技術手段において、前記指定範囲は、前記対象選択画面を均等に任意の整数で分割した画像領域とすることを特徴としたものである。
【００１１】
第３の技術手段は、第２の技術手段において、前記任意の整数は、縦軸と横軸の画像枠の数を異ならせることを特徴としたものである。
【００１２】
第４の技術手段は、第１乃至第３のいずれかの技術手段において、前記指定範囲を、前記対象選択画面上の行又は列を構成する複数の画像枠領域とすることを特徴としたものである。
【００１３】
第５の技術手段は、第１乃至第４のいずれかの技術手段において、前記指定範囲に対してリモートコントローラの指定キーを対応付けた補助画像を設定することを特徴としたものである。
【００１４】
第６の技術手段は、第１乃至第５のいずれかの技術手段において、前記指定範囲を、リモートコントローラのカーソルサイズ変換キーの倍率に応じた画像枠からなる画像領域としたことを特徴としたものである。
【００１５】
第７の技術手段は、第１乃至第６のいずれかの技術手段において、前記指定範囲を指定したとき、前記指定範囲に含まれる前記対象を同時に指定し有効にすることを特徴としたものである。
【００１６】
第８の技術手段は、第１乃至第７のいずれかの技術手段において、前記指定範囲を、指定の度に狭くし、指定されて残った画像枠の数がリモートコントローラの指定キーの数より少なくなるまで前記指定を行うことを特徴としたものである。
【００１７】
第９の技術手段は、第１乃至第８のいずれかの技術手段において、前記指定範囲の指定の終了にともない、指定キーにより直接画像枠を指定することを特徴としたものである。
【００１８】
第１０の技術手段は、第１乃至第７のいずれかの技術手段において、前記指定範囲が、リモートコントローラのカーソルサイズ変換キーの倍率に応じた画像枠からなる画像領域として記憶されていることを特徴としたものである。
【００１９】
第１１の技術手段は、第１乃至第８のいずれかの技術手段において、前記変倍カーソルの指定範囲を、前記対象選択画面上に表示することを特徴としたものである。
【００２０】
第１２の技術手段は、コンピュータに、対象選択画面上の対象と関連付けられた画像枠複数個からなる画像領域を、変倍カーソルの指定範囲として設定する機能を実現させるためのプログラムすることを特徴としたものである。
【００２１】
第１３の技術手段は、第１２の技術手段において、前記指定範囲を、前記対象選択画面を均等に任意の整数で分割した画像領域とすることを特徴としたものである。
【００２２】
第１４の技術手段は、第１３の技術手段において、前記任意の整数を、縦軸と横軸の画像枠の数を異ならせたものとすることを特徴としたものである。
【００２３】
第１５の技術手段は、第１２乃至第１４のいずれかの技術手段において、前記指定範囲を、前記対象選択画面上の行又は列を構成する複数の画像枠領域としたことを特徴としたものである。
【００２４】
第１６の技術手段は、第１２乃至第１５のいずれかの技術手段において、前記指定範囲に対してリモートコントローラの指定キーを対応付けた補助画像を設定する機能を実現することを特徴としたものである。
【００２５】
第１７の技術手段は、第１２乃至第１６のいずれかの技術手段において、前記指定範囲を、リモートコントローラのカーソルサイズ変換キーの倍率に応じた画像枠からなる画像領域としたことを特徴としたものである。
【００２６】
第１８の技術手段は、第１２乃至第１７のいずれかの技術手段において、前記指定範囲を指定したとき、前記指定範囲に含まれる前記対象を同時に指定し有効にする機能を実現することを特徴としたものである。
【００２７】
第１９の技術手段は、第１２乃至第１８のいずれかの技術手段において、前記指定範囲を、指定の度に狭くし、指定されて残った画像枠の数がリモートコントローラの指定キーの数より少なくなるまで前記指定を行う機能を実現させることを特徴としたものである。
【００２８】
第２０の技術手段は、第１２乃至第１９のいずれかの技術手段において、前記指定範囲の指定の終了にともない、指定キーにより直接画像枠を指定する機能を実現させることを特徴としたものである。
【００２９】
第２１の技術手段は、第１２の技術手段において、前記指定範囲を、指定の度に狭くし、指定されて残った画像枠の数がリモートコントローラの指定キーの数より少なくなるまで前記指定を行い、前記指定範囲の指定の終了にともない、指定キーにより直接画像枠を指定する機能を実現させることを特徴としたものである。
【発明の効果】
【００３０】
本発明の記録再生装置は、対象選択画面に多数のサムネイル画像等の対象が表示されている場合に、ユーザーによる対象選択時の操作性を向上させることができる。
カーソルの形状を従来の普通サイズより拡大した変倍カーソルとしたので、１回の操作で変倍カーソルの指定する対象範囲および移動する距離が、カーソル拡大前の従来例より増えることで、従来よりも少ない操作で所望の対象の指定が実現できる。
【００３１】
また、カーソル拡大による対象の複数選択により、多数の画像等から所望の対象を選択する際の絞込みを容易に行うことができる。
対象の配列を任意に分割した形状に、変倍カーソルの形状を合わせ、リモートコントローラの決定キーの押下操作により、画面上でカーソル位置にあたる箇所の対象を１回のキー操作で選択することができる。
【００３２】
変倍キーの倍率を、大きい倍率から小さい倍率まで適宜段階を追って変更して対象を指定することにより、対象を絞り込み、残った対象の数が、リモートコントローラの指定キーの数と同じかそれよりも小さくなった段階で、指定キーによる直接指定を行う。これにより、処理手順の数が従来の場合と比べ極端に少なくできる。
【００３３】
なお、選択できる対象は、サムネイルに限定する必要はなく、画像の抽出条件（被写体、日時、撮影者等）や、画像グループやフォルダ等の選択に使用してもよい。
変倍カーソルのサイズは対象が２つ以上選択できるサイズであればよく、変倍カーソルの形は問わない。
【発明を実施するための最良の形態】
【００３４】
本発明の実施形態を図に基づいて詳細に説明する。
【実施例１】
【００３５】
図１は本発明の記録再生装置のブロック構成図である。
記録再生装置１０１は、選局されている番組の放送を受信する放送受信部１０２、放送のストリームデータ（動画の時間情報で、映像や音声、アニメーションの「ストリーム・データ」に合わせて、テキストや吹き替え音声などのタイミングを調整することができる。）のエンコードやデコード、ユーザーからの操作の受信とその制御、ストリーム（データの冒頭部分を読み込むのと同時にデータ処理を開始し、データを処理しながら残りのデータを読み込んで、途切れなく流れるようにデータを再生する処理方式。）の映像・音声・画像データの制御など、記録再生装置全体のシステムの制御を行うシステム制御部１０３、ストリームデータや画像などを記録するための記録媒体１０４、ユーザーの要求や画像データの情報を示すためのＯＳＤ（Ｏｎ  Ｓｃｒｅｅｎ  Ｄｉｓｐｌａｙ：各種設定値を、ディスプレイの一部に表示しながら、設定できるようにしたディスプレイの機能）を生成するＯＳＤ生成部１０５、映像と生成されたＯＳＤを合成して、出力映像を生成する映像処理部１０６とを有する。
【００３６】
システム制御部１０３は、ユーザーのリモコン操作による入力に応じて、記録媒体１０４からストリームデータや画像等を読み出しＯＳＤ生成部１０５へ渡し、このＯＳＤ生成部１０５で生成されたＯＳＤを放送受信部１０２で受信した放送の映像信号と合成して、映像処理部１０６へ出力し、表示させる。
【００３７】
このとき、システム制御部１０３は、リモコンの操作によりカーソルの形状を所望の大きさとし、そのカーソルで画面上の複数の対象、例えば複数のサムネイル画像を指定し、決定キーや実行キーを押し下げ操作して前記複数のサムネイル画像を指定する処理等を行う。
このシステム制御部１０３は、実質的に、カーソル表示パターン設定手段、カーソル表示パターン格納手段、カーソル表示手段を有する。
【００３８】
図２は本発明の記録再生装置を制御するための遠隔操作器（以下、「リモートコントローラ」という）の例１である。
リモートコントローラ２０１は、カーソルサイズ変更キー２０４でカーソルのサイズを変更し（変倍カーソルとし）、方向キー２０２の操作でカーソルを上下左右へ移動させ、位置決めされた変倍カーソルで指定された複数の対象を指定し、決定キーの押下げにより有効にし、有効になった複数の対象に放送選局のための指定キー２０５を対応させ、指定キー２０５の操作により放送をダイレクト選択できるようにする。指定キー２０５は、図２の１〜１２の数字キーとその他の記号キー（□△◎■）の全部で４×４配列キーの構成を有し、図６の４倍のカーソルの領域内に含まれる画像枠の構成に対応するようになっている。これにより、画像枠内の対象を指定キー２０５でダイレクトに選択することができる。なお、リモートコントローラ２０１の操作部はキーボタンスイッチで構成されているので、以後、キーボタンスイッチを「キー」又は「ボタン」という。
【００３９】
なお、操作手段は、押ボタンや回転ダイヤルやジョイスティック等の操作キーを持つ遠隔操作器（例えば、リモートコントローラ）のような、テレビやレコーダ等の操作に用いる手段、またはリモートコントローラと同様のキーをもつ携帯電話でもよいが、前記と同様な操作ができるものであればこれらに限らない。
カーソルサイズ変更キー２０４は、「×」が倍率を表し、「×１」はカーソル形状を１倍に設定し、「×２」は２倍に設定し、「×４」は４倍に設定する。カーソルサイズ変更キー２０４に設ける倍率は、これに限らず、任意の整数の倍率にすることができる。リモートコントローラ２０１上にいくつの倍率を選択可能に設けるかは任意である。対象をダイレクト選択するキーの数および種類も任意に選択できる。
【００４０】
（カーソルサイズ変更処理）
カーソルサイズ変更手順を、図３のフローチャートに基づいて説明する。
システム制御部１０３において、リモートコントローラからの操作入力に応じて、以下のフローチャートを実行する。なお、ステップ（手順）は「Ｓ」と表す。
【００４１】
スタート
１．カーソルサイズ変更キー押下（Ｓ１）：
ユーザーがカーソルサイズ変更キーを押下げ操作する。これに応じて、システム制御部１０３は、図２のリモートコントローラ２０１からのカーソルサイズ変更キー２０４を押下げた操作信号を受信し、カーソルサイズ変更キー２０４の押下げ操作を検出してＳ２へ進む。
２．現在のカーソルサイズと変更後のカーソルサイズが異なるか？（Ｓ２）。
現在記憶しているカーソルサイズとＳ１でカーソルサイズ変更キー２０４の押下げ操作で変更した変更後のカーソルサイズが異なるか否か比較判断する。カーソルサイズが異ならないときには、終了する。カーソルサイズが異なるときは、Ｓ３へ進む。
３．カーソルサイズ変更（Ｓ３）：
カーソルサイズが異なるので、変更後のカーソルサイズを記憶して終了する。このカーソルサイズはシステム制御部内の記憶手段や記憶媒体１０４等に記憶する。
エンド
【００４２】
図４、図５および図６は本発明のカーソルサイズの変更例で、それぞれカーソルサイズ変更キー２０４の「×１」、「×２」、「×４」を選択した場合のカーソルの説明図である。
図４は、表示画面上に、８×８の画像枠からなる対象選択画像、例えば、サムネイル選択画面を表示し、カーソルサイズ変更倍率を１倍に設定した例である。ここで倍率は縦軸と横軸のそれぞれの倍率をいう。
表示画面上に設けた８×８の画像枠４０４のうちの縦軸１つ、横軸１つの画像枠にカーソル４０２の外形形状を合わせている。これにより、対象選択画像４０１上の対象、例えば、サムネイル画像４０３をカーソル４０２で選択できる。カーソルは対象選択画面の左上隅の位置をオフセット位置としてとる。
【００４３】
図５は、表示画面上に、８×８の画像枠からなる対象選択画面、例えば、サムネイル選択画面を表示し、カーソルサイズ変更倍率を２倍に設定した例である。
表示画面上に設けた８×８の画像枠のうちの縦軸２つ、横軸２つの合計４つの画像枠に変倍カーソル５０１の外形形状を合わせている。これにより、対象選択画面４０１内の対象、例えば、４つのサムネイル画像５０２を変倍カーソル５０１で１度に選択できる。この２×２の画像枠に対応する面積の変倍カーソルは、対象選択画面４０１内の任意の２×２の画像枠位置を指定できる。
【００４４】
（変倍カーソルで絞込む例）
・サムネイル画像等の対象を縦軸に８、横軸に８並べた８×８画像枠を、通常は１画像枠のカーソルを４×４画像枠に拡大した変倍カーソルで絞込み、その後１×１画像枠に戻した変倍カーソルで対象を直接指定する例。
図６は、表示画面上に、８×８の画像枠からなる対象選択画面４０１、例えば、サムネイル選択画面を表示し、カーソルサイズ変更倍率を４倍に設定した例である。
表示画面上に設けた８×８の画像枠のうちの縦軸４つ、横軸４つの合計１６つの画像枠に変倍カーソル６０１の外形形状を合わせている。これにより、対象選択画面４０１内の対象、例えば、１６のサムネイル画像６０２を変倍カーソル６０１で１度に選択できる。この４×４の画像枠に対応する面積のカーソルは、対象選択画面４０１内の任意の４×４の画像枠位置を指定できる。カーソルは対象選択画面内の左上隅の位置をオフセット位置としてとる。
【００４５】
図６の変倍カーソル６０１の位置から、変倍カーソル６０１をリモートコントローラ２０１の方向キー２０２の「右」と「下」の押下操作により図８の右下隅部の位置に移動させる。
次に、変倍カーソル８０１が図８の右下隅部の位置にある状態でリモートコントローラ２０１の「決定キー」２０３又はカーソルサイズ変更キー「×１」２０４を押下操作し、図９に示すように元の１×１画像枠のサイズの変倍カーソル８０３に変える。このサイズ縮小時の変倍カーソル８０３のオフセット位置は、１つ前の変倍時の変倍カーソル領域の左上隅の位置をとる、すなわち、図８の変倍カーソル８０１の占有領域の左上隅の位置である図９の変倍カーソル８０３の位置になる。
【００４６】
移動したい位置が、図９の星印８０４の位置であるとき、図９の変倍カーソル８０３を、リモートコントローラ２０１の方向キー２０２の「右」を押下操作して図１０の星印８０４の位置に移動し、「決定キー」２０３を押下操作し、星印８０４の対象を有効にする。これにより、所望の星印８０４の位置のサムネイル画像等の対象を選択できる。
この星印８０４の対象を選択するために、従来では、方向キーの「下」を４回、「右」を５回、「決定キー」を１回の計１０回の押下操作で選択していたが、本発明の変倍カーソルを用いると、カーソルサイズ変更キー「×４」を１回、方向キーの「下」を１回、「右」を１回、「決定キー」又はカーソルサイズ変更キー「×１」を１回、方向キーの「下」を１回、「決定キー」を１回の計６回の押下操作ですむことになる。これにより、操作がわかりやすく且つ簡単になると共に、操作時間が短くなる。
【実施例２】
【００４７】
（指定キー画像表示処理）
・サムネイル画像等の対象を縦軸に８、横軸に８並べた８×８画像枠を、通常は１画像枠のカーソルを４×４画像枠に拡大した変倍カーソルで絞込み、その後指定キーにより対象を直接指定する例。
図７は、図６の変倍カーソルの位置から図８の対象選択画面の対角位置へ４倍の変倍カーソルを移動した後、リモートコントローラの指定キーに対応した補助画像を現在の画像に合成して図１１のように表示し、指定キーにより対象を直接指定する手順を示すフローチャートである。
システム制御部１０３において、リモートコントローラからの操作入力に応じて、以下のフローチャートを実行する。
【００４８】
スタート（Ｂ）
１．拡大カーソル移動（Ｓ１１）：
図６の４倍（×４）のサイズのカーソル６０１を、リモートコントローラ２０１の方向キー２０２の「右」と「下」を押下操作して図８の右下隅部の位置に移動する。
２．決定キー押下（Ｓ１２）：
リモートコントローラ２０１の決定キー２０３を押下操作し、図８のようにカーソル８０１を位置決めし、カーソル８０１が占める画像領域を有効にする。
【００４９】
３．補助画像描画（Ｓ１３）：
Ｓ１２で決定キー２０３が押下操作されると、リモートコントローラ２０１のボタン２０５の配列に対応する補助画像９０１が映像処理部１０６で現在の表示に合成されて図１１のように描画される。
補助画像９０１は、ＯＳＤ生成部１０５により、カーソルの変倍領域の大きさに応じて指定キー２０５を割り当てた画像として作成される。この補助画像９０１は、任意のタイミングで、例えば、カーソルの変倍率を決める操作をしたとき、又は、上記決定キーの押下げ操作に応じてＯＳＤ生成部１０５で作成する。
４．ボタン押下（Ｓ１４）：
補助画像９０１上の任意のボタン、ここではサムネイル画像等の対象４０４に対応する記号キー（■）を押下操作する。
【００５０】
５．表示と対応しているボタンが押下されているか？（Ｓ１５）：
補助画像９０１に該当する指定キー２０５内のキーボタンが押されているか否か、システム制御部１０３で判断を行い、押されていないときはこのＳ１５の最初に戻り、押されているときは次のＳ１６へ進む。
６．対応するボタンの対象を選択（Ｓ１６）：
指定キー２０５内の押された記号キー（■）に対応する対象４０４を選択し、対象４０４のサムネイル画像に対応する元の寸法の画像等を画面表示する。
エンド
【００５１】
上記の操作を行うために、従来は、カーソルを１４回、決定ボタン１回、操作回数合計１５回必要だったが、前述の選択方法によると、カーソル拡大ボタン１回、カーソル２回、決定ボタン１回、■ボタン１回、操作回数合計５回に短縮できる。これにより、今何を行っているかという操作手順を明確に理解することができ、操作時間を短縮できるとともに、誤操作を少なくすることができる。
【実施例３】
【００５２】
（実施例２の絞り込み後に再描画する例）
・サムネイル画像等の対象を縦軸に８、横軸に８並べた８×８画像枠を、通常は１画像枠のカーソルを４×４画像枠に拡大した変倍カーソルで絞込み、絞り込んだ対象を再描画し、その後ダイレクト選択を行う例。
図１２の実施例３において再描画を行う場合のフローチャートと、図７の実施例２のフローチャートにおいて、Ｓ２１とＳ１１，Ｓ２２とＳ１２、Ｓ２４とＳ１４、Ｓ２５とＳ１５、Ｓ２６とＳ１６が対応し、同じ手順なので、図１２の同じ手順の説明は図７の説明を援用し、ここでは省略する。
図１２のフローチャートにおいて、図７のものと異なるステップＳ２３のみを説明する。
【００５３】
３．選択範囲再描画、捕助画像描画（Ｓ２３）：
図８の変倍カーソル位置で決定キー２０３を押下操作すると、映像処理部１０６にて、現在の変倍カーソル８０１で選択されている対象画像８０２群と、ＯＳＤ生成部１０５で生成されたリモコンのボタン２０５の配列に対応する補助画像９０１を合成し、図１３に示されるように変倍カーソル１１０１に対応する補助画像１１０２として画面いっぱいに再描画を行う。
この再描画により、図８のように小さい画像枠を８×８表示した画面から、図１３のように４倍に大きくなった画像枠を４×４表示した画面に切り替える。これにより、カーソル形状が４倍になり、見やすくなり、カーソル枠に対応した指定キーの選択が容易になる。
【００５４】
上記の選択操作に、従来は通常の画像枠に相当する形状のカーソルを１４回、決定ボタン１回、操作回数合計１５回必要だったが、上記選択方法によると、カーソル拡大ボタン１回、カーソル２回、決定ボタン１回、■ボタン１回、操作回数合計５回に短縮できる。これにより、実施例１の効果に加えて、選択範囲を再描画することにより、選択操作が容易にできるようになる。
【実施例４】
【００５５】
（２回変倍カーソルを用いて絞込む例）
・変倍カーソルを２回拡大に設定して絞込みを行い、ダイレクトに選択する例。
カーソルの変倍については、図１４のリモートコントローラ１２０１のカーソルサイズ変更キー１２０２で変更する。
変更倍率は、ノーマルサイズ（図１６の画像枠１つ分）、８分割（画面全体の１／８で、画像枠４×６又は８×３のもの）、４分割（画面全体の１／４で、図１６の画像枠１２×１６のもの）がある。図１６は６×８画像枠からなる変倍カーソルを示す図である。
【００５６】
（２回変倍絞込み処理）
図１５は、図１４のリモートコントローラを用いて、変倍率の異なる変倍カーソルにより２回絞込みを行う手順を示すフローチャートである。
システム制御部１０３において、リモートコントローラ１２０１からの操作入力に応じて、以下のフローチャートを実行する。
【００５７】
スタート
１．（Ａ）カーソルサイズ変更（Ｓ３１）：
画面全体が１２×１６の画像枠からなる対象選択画面において、「４分割」のカーソルサイズ変更キー１２０２の選択操作により変倍カーソルを６×８の画像枠を含む形状に変更する。カーソルは対象選択画面内の左上隅の位置をオフセット位置としてとる。
２．拡大カーソル移動（Ｓ３２）：
図１６の対象選択画面の左上隅に位置する拡大した変倍カーソル１４０２を、リモートコントローラ１２０１の「右」と「下」の移動キーを押下操作して変倍カーソルを図１７の右下隅へ移動する。
【００５８】
３．決定キー押下（Ｓ３３）：
変倍カーソル１５０１を図１７に示す位置へ移動したら、リモートコントローラ１２０１の決定キーを押下げ操作する。これにより、図１７の変倍カーソル１５０１で指定される画像領域１５０２が有効にされる。
４．選択範囲再描画（Ｓ３４）：
図１７の対象選択画面１４０１全体を、Ｓ３３で選択している変倍カーソル１５０１で指定した右下隅の画像枠６×８で再描画する。
５．（Ａ）カーソルサイズ変更（Ｓ３５）：
Ｓ３４で全体を画像枠６×８で再描画した対象選択画面１６０１の状態で、リモートコントローラ１２０１のカーソルサイズ変更キー１２０２を操作し、変倍カーソルの倍率を「４分割」にする。この結果、変倍カーソル１６０２の形状は、画像枠３×４の領域になる。
【００５９】
６．（Ｂ）カーソル移動、選択（Ｓ３６）：
図１８の左上隅に位置する変倍カーソル１６０２を、リモートコントローラ１２０１の移動キーを「右」および「下」に操作して、図１９の対象選択画面１４０１の右下隅へ移動し、リモートコントローラ１２０１の決定キーを押下げ操作して、変倍カーソル１７０１に対応する画像領域を有効にする。領域が指定されることにより、画像枠３×４に対応してリモートコントローラ１２０１の指定キー１２０３が図１９の指定キー１７０２に割り当てられる。
リモートコントローラ１２０１の指定キー１２０３のいずれかを押下げ操作すると、図１９の対象選択画面１４０１上の該当する指定キー１７０２領域が選択・実行され、実施例２の場合と同じく、対応する画像枠のサムネイル画像等の対象が普通サイズの画像で表示される。
エンド
【実施例５】
【００６０】
（実施例４の絞り込み後に再描画する例）
この実施例５では、サムネイル画像等の対象を縦軸に６、横軸に８並べた６×８画像枠を、通常は１画像枠のカーソルを３×４画像枠に拡大した変倍カーソルで絞込み、絞り込んだ対象を再描画し、その後ダイレクト選択を行う。
図２０のフローチャートと、図１５の実施例４のフローチャートにおいて、Ｓ４１とＳ３１，Ｓ４２とＳ３２、Ｓ４３とＳ３３、Ｓ４４とＳ３４、Ｓ４５とＳ３５が対応し、同じ手順なので、図２０の同じ手順の説明は図１５の説明を援用し、ここでは省略する。
【００６１】
図２０のフローチャートにおいて、図１５のものと異なるステップＳ４６のみを説明する。
７．（ｃ）カーソル移動、選択範囲再描画、補助画像描画、選択（Ｓ４６）：
図１９の変倍カーソル位置で決定キー２０３を押下操作すると、映像処理部１０６にて、現在の変倍カーソル１７０１で選択されている対象画像群と、ＯＳＤ生成部１０５で生成されたリモートコントローラ１２０１のボタン１２０３の配列に対応する補助画像１７０２が合成され、図２１のように画面いっぱいに再描画を行う。
再描画により、図１９のように小さい画像枠を６×８表示した画面から、図２１のように４倍に大きくなった画像枠を４×４表示した画面に切り替える。これにより、カーソル形状が４倍になり、見やすくなり、カーソル枠に対応した指定キーの選択が容易になる。
【００６２】
従来はカーソルを２６回、決定ボタン１回、操作回数合計２７回必要だったが、上記の選択方法によると、カーソル拡大ボタン１回、カーソル２回、決定ボタン１回、カーソル拡大ボタン１回、カーソル２回、決定ボタン１回、◎ボタン１回、操作回数合計９回に短縮できる。
【実施例６】
【００６３】
（「行」や「列」で連続する対象をまとめて選択する例）
この実施例６は、変倍カーソルの形状を、対象選択画面の「行」や「列」に対応した形状とし、サムネイル画像等の対象を縦軸に８、横軸に８並べた８×８画像枠を、通常は１画像枠のカーソルを「行」又は「列」の８画像枠に拡大した変倍カーソルで絞込み、その後ダイレクト選択を行う。これにより、連続する対象を「行」や「列」単位で選択する。
【００６４】
リモコン２００１は、図２２の構成を有し、カーソルサイズ変更キー２００２が「ノーマル」、「行」、「列」に分かれている構成が他の実施例のものと異なり、その他の「移動キー」、「決定キー」、「指定キー」については他の実施例のものと異ならない。
リモコン２００１のカーソルサイズ変更キー２００２の「行」キーを押すと、図２３に示すように、現在の変倍カーソル２１０１が位置する行全体の画像枠２１０２を選択する。
同様に、カーソルサイズ変更キー２００２の「列」キーを押すと、図２４に示すように、現在の変倍カーソル２１０１が位置する列全体の画像枠２１０２を選択する。
その後、そのまま、又は、再描画し、決定キーを押して各画像枠に指定キーを割り当て、選択できるようにする。
【実施例７】
【００６５】
（不連続な対象をまとめて選択する例）
・配置が不連続なサムネイル画像等の対象を含む縦軸に８、横軸に８並べた８×８画像枠を、通常は１画像枠のカーソルを４×４画像枠に拡大した変倍カーソルで絞込み、絞り込んだ対象を再描画し、その後不連続な対象をダイレクト選択する例である。
図２５の対象選択画面４０１において、飛び飛びの座標をとる対象をすべて含むように変倍カーソルを４×４画像枠に拡大し、この変倍カーソルを、上で述べた実施例のように、オフセット位置である画面上の右上隅の位置から、リモートコントローラ２００１の移動キーを「右」と「左」に操作して画面上の右下隅へ移動する。
【００６６】
この変倍カーソルによる絞込みは、基本的に、上記実施例２や実施例３と同じに行う。この右下隅に位置決めした変倍カーソルにより指定した画像枠をリモートコントローラ２００１の決定キーの押下げ操作により有効にし、指定キーを表示する。次に、図２５の画面上の変倍カーソル８０１内の表示を図２６に示すように対象選択画面全体に再描画する。図２６の画像枠は、図２５の画像枠の２×２倍になっている。指定キーの「２」、「８」、「１２」がダイレクト選択可能で有効な画像を備えている。
【００６７】
以上の実施例では、１）カーソル拡大によるサムネイル画像等の対象の複数選択により、多数の画像から所望の画像へ選択する際の絞込みを行う操作、２）対象の配列をリモートコントローラの指定キーの配列になぞらえ、指定キー押下で直接所望の対象を選択する操作、３）１、２の操作（１、２の組み合わせもあり）で余計なカーソル移動を伴わずに所望の対象を選択できる。その際、カーソルサイズ変更の回数を２回までとする例を説明した。しかし、変更回数はこれに限らず、表示対象となるサムネイル画像等の対象の数や表示の態様（大きく表示する）に応じ、最後は対象がリモートコントローラの指定キーでダイレクト選択ができる数になるまで、カーソルサイズ変更を行うことができる。
また、変倍カーソルの形状は、対象選択画面の全画像枠を整数で分割する例を説明したが、任意の画像枠を含む領域を指定する形状とすることもできる。
【００６８】
また、変倍カーソルを用いると、複数の対象を選択して必要な処理を実行することができるが、この処理方法は、サムネイル画像と対応付けられた通常サイズの画像の再生のみでなく、画像のダビングや消去等のまとめて行う処理にも適用できる。
以上の説明は、図１の記録再生装置に基づいて説明したが、上記の機能を要求される記録再生装置はこれに限らず、画像等の記録再生処理ができるプログラムを組み込んだ一般的なパーソナルコンピュータ等であってもよい。
【産業上の利用可能性】
【００６９】
直接指定できるようになるまで、多数の固まりで順次絞り込む手順を必要とする分野のものに適用可能である。多数のファイルから必要なファイルを選択する場合にも適用できる。
【図面の簡単な説明】
【００７０】
【図１】本発明の記録再生装置のブロック構成図である。
【図２】本発明の記録再生装置を制御するための遠隔操作器（以下、「リモートコントローラ」という）の例１である。
【図３】本発明のカーソルサイズ変更手順を示すフローチャートである。
【図４】本発明の「×１」を選択した場合のカーソルサイズの変更例である。
【図５】本発明の「×２」を選択した場合のカーソルサイズの変更例である。
【図６】本発明の「×４」を選択した場合のカーソルサイズの変更例である。
【図７】本発明の図６のカーソルの位置から図８の対象選択画面の対角位置へ４倍のカーソルを移動する手順を示すフローチャートである。
【図８】対象選択画面内の図６の位置に対する対角位置へ４倍のカーソルを移動した状態を示す図である。
【図９】本発明の「×４」から「×１」へカーソルサイズを変更したときのカーソルサイズとカーソル位置の説明図である。
【図１０】図９のカーソルを星印へ位置合わせした状態を示す説明図である。
【図１１】図８のカーソルで指定した対象に補助画像を表示した図である。
【図１２】実施例２において再描画を行う場合のフローチャートである。
【図１３】図１１の再描画の例である。
【図１４】他の倍率のカーソルサイズ変更キーを備えたリモートコントローラの構成図である。
【図１５】図１４のリモートコントローラを用いて、変倍率の異なる変倍カーソルにより２回絞込みを行う手順を示すフローチャートである。
【図１６】本発明の６×８画像枠からなる変倍カーソルを示す図である。
【図１７】図１６の変倍カーソルを画面上の対角位置へ移動した状態を示す図である。
【図１８】図１７の変倍カーソルで指定した領域を、３×４画像枠からなる変倍カーソルで再指定した状態を示す図である。
【図１９】リモートコントローラ２０１のボタン２０５の配列に対応する補助画像９０１が映像処理部１０６で現在の表示に合成されて描画された図である。
【図２０】図１８のカーソルの位置から図１９の対象選択画面の対角位置へ３×４倍のカーソルを移動した後、リモートコントローラの指定キーに対応した補助画像を現在の画像に合成して描画し、更に図１１のように再描画する手順を示すフローチャートである。
【図２１】本発明のリモートコントローラの指定キーに対応した補助画像を現在の画像に合成し、再描画した図である。
【図２２】本発明の変倍態様が異なるカーソルサイズ変更キーを備えた更に他のリモートコントローラの構成図である。
【図２３】本発明の行を指定領域とする変倍カーソルを示す図である。
【図２４】本発明の列を指定領域とする変倍カーソルを示す図である。
【図２５】本発明の対象選択画面において、飛び飛びの座標をとる対象をすべて含むように変倍カーソルで指定し、この指定した現画像にリモートコントローラの指定キーを表す補助画像を合成した状態を示す図である。
【図２６】図２５を再描画した図である。
【符号の説明】
【００７１】
１０１…記録再生装置、１０２…放送受信部、１０３…システム制御部、１０４…記録媒体、１０５…ＯＳＤ生成部、１０６…映像処理部、２０１，１２０１，２００１…リモートコントローラ、２０２…方向キー、２０３…決定キー、２０４，１２０２，２００２…カーソルサイズ変更キー、２０５，１２０３…指定キー、４０１，１４０１，１６０１…対象選択画面、４０２…カーソル、４０３，５０２，６０２，８０２，１４０３，１５０２，１６０３，２１０２，２３０１，２４０１…対象（サムネイル画像等）、４０４，１４０４…画像枠、５０１，６０１，８０１，８０３，１１０１，１４０２，１５０１，１６０２，１７０１，１９０１，２１０１…変倍カーソル、９０１，１１０２，１７０２，１９０２…補助画像。
【図１】
2008123320.tif 000003
【図２】
2008123320.tif 000004
【図３】
2008123320.tif 000005
【図４】
2008123320.tif 000006
【図５】
2008123320.tif 000007
【図６】
2008123320.tif 000008
【図７】
2008123320.tif 000009
【図８】
2008123320.tif 000010
【図９】
2008123320.tif 000011
【図１０】
2008123320.tif 000012
【図１１】
2008123320.tif 000013
【図１２】
2008123320.tif 000014
【図１３】
2008123320.tif 000015
【図１４】
2008123320.tif 000016
【図１５】
2008123320.tif 000017
【図１６】
2008123320.tif 000018
【図１７】
2008123320.tif 000019
【図１８】
2008123320.tif 000020
【図１９】
2008123320.tif 000021
【図２０】
2008123320.tif 000022
【図２１】
2008123320.tif 000023
【図２２】
2008123320.tif 000024
【図２３】
2008123320.tif 000025
【図２４】
2008123320.tif 000026
【図２５】
2008123320.tif 000027
【図２６】
2008123320.tif 000028